(57)【要約】  【課題】  縫目強度の向上と、適度の伸縮性とを併せて実現し、更に、糸切れによる縫目の不要な解けを有効に防止することができる新規の縫目構造を提供する。  【解決手段】  縫製生地１の下面に並ぶ３つの糸環列20，20，20の全てに第１のルーパ糸４を絡み合わせて構成された第１の２重環縫部40と、３つの糸環列20，20，20のうちの２つに第２のルーパ糸５を絡み合わせて構成された第２の２重環縫部50とを併せて備える縫目構造とする。【選択図】        図１
2005074082.tif 000002
【特許請求の範囲】
【請求項１】
縫製生地を貫く複数本の針糸が該縫製生地の下面に各別に形成する複数の糸環列の全てに第１のルーパ糸を絡み合わせて構成された第１の２重環縫部と、
前記複数の糸環列の一部に第２のルーパ糸を絡み合わせて構成された第２の２重環縫部と
を併せて備えることを特徴とする縫目構造。
【発明の詳細な説明】
【技術分野】
【０００１】
本発明は、ミシンを用いて縫製品に形成される縫目の構造に関する。
【背景技術】
【０００２】
ミシン、特に工業用のミシンを用いた縫製においては、縫製品の種類、部位に適合させるべく、従来から種々の形態の縫目構造が実用化されており、これらの縫目構造は、米国政府標準局により規格づけて公表され、また日本工業規格（ＪＩＳ−Ｂ９０７０）において参考として示されている（例えば、非特許文献１参照）。
【０００３】
この種の縫目構造として、米国規格において４００番台の記号により表され、またＪＩＳにおいてＤ記号により表される２重環縫（Double Lock Stitch）の縫目構造があり、更に、２重環縫に上飾り糸を追加した縫目構造として、米国規格において６００番台の記号により表され、またＪＩＳにおいてＦ記号により表される偏平縫（Flat Seam Stitch）の縫目構造がある。
【０００４】
図３は、２重環縫の縫目構造の説明図であり、２重環縫がなされた縫製生地の上下両面における縫目の状態が示されている。本図に示す如く２重環縫の縫目は、縫製生地１の上面10上に互いに平行をなして並び、送りピッチに対応する間隔にて縫製生地１を上下に貫く複数本（図においては３本）の針糸２，２…と、これらの針糸２，２…に縫製生地１の下面11において絡み合う１本のルーパ糸３とにより構成されている。なお図中の白抜矢符は縫製生地１の送り方向を示している。
【０００５】
針糸２，２…は、貫通位置の夫々において縫製生地１の下面11に環状をなして突出して各別の糸環列20，20…を形成しており、これらの糸環列20，20…に対し、縫製生地１の送り方向と略直交する方向に前記下面11に沿って糸繰りされるルーパ糸３が絡み合わされ、図示の如き２重環の縫目構造が形成される。このような２重環の縫目構造は、前記米国規格において、針糸２の本数が１〜３本の範囲において７種類（Stitch Type  401〜407 ）が規格化され、更に、上飾り糸を追加した偏平縫の縫目構造は、針糸２の本数が２〜４本の範囲において６種類（Stitch Type  602〜607 ）が規格化されている。
【非特許文献１】「縫製事典」，繊維協会出版局発行，昭和４４年６月１日
【発明の開示】
【発明が解決しようとする課題】
【０００６】
さて、以上の如き２重環縫（偏平縫を含む）の縫目構造は、縫目強度が高く、伸縮性に富むという優れた特性を有しており、更に偏平縫の縫目構造は、縫製生地の表裏両面に規則的に絡み合う上飾り糸及びルーパ糸が存在しており、表裏両側からの見栄えが向上するという意匠上の利点も有していることから、近年、各種衣料品の縫製に広範囲に採用されている。
【０００７】
ところが、近年の縫製品の多様化に伴い、より高い縫目強度、伸縮性の抑制等、２重環縫（偏平縫を含む）の縫目構造によっても対応が難しい要求がなされる場合があり、これらの要求に対して、単環縫、本縫等の他の縫目構造により応えることは更に難しい。
【０００８】
また、図３に示す如く形成される２重環縫の縫目構造においては、ルーパ糸３の一部を切断し、この切断端を引っ張った場合、該ルーパ糸３と針糸２の糸環列20，20…との絡みが縫い始めの側に向けて順次外れ、縫目を連続して解くことができる。このことは、縫製ミスの発生時に縫い直しを簡易に実施するために有用である反面、縫製品としての使用中にルーパ糸が切れたとき広範囲に亘って縫目の解けを招来する結果となり、縫製品の品質向上を図る面からは好ましくない。
【０００９】
本発明は斯かる事情に鑑みてなされたものであり、縫目強度の向上と、適度の伸縮性とを併せて実現することができる上、ルーパ糸の糸切れによる縫目の不要な解けを有効に防止することができる新規の縫目構造を提供することを目的とする。
【課題を解決するための手段】
【００１０】
本発明に係る縫目構造は、縫製生地を貫く複数本の針糸が該縫製生地の下面に各別に形成する複数の糸環列の全てに第１のルーパ糸を絡み合わせて構成された第１の２重環縫部と、前記複数の糸環列の一部に第２のルーパ糸を絡み合わせて構成された第２の２重環縫部とを併せて備えることを特徴とする。
【００１１】
本発明においては、縫製生地の下面に複数本の針糸が形成する複数の糸環列に対し、これらの全てにルーパ糸（第１のルーパ糸）が絡まる一般的な２重環縫部（第１の２重環縫部）と共に、これらの一部にのみルーパ糸（第２のルーパ糸）が絡まる部分的な２重環縫部（第２の２重環縫部）を構成し、これらの相乗作用により縫目強度を高め、また第１の２重環縫部により得られる本来の伸縮性を第２の２重環縫部の作用により抑制して所望の伸縮性を実現する。また第１，第２のルーパ糸の夫々が、針糸の糸環列との絡みの外れを相互に止め、糸切れによる縫目の不要な解けを防ぐ作用をなす。
【発明の効果】
【００１２】
本発明に係る縫目構造においては、縫製生地の下面に複数本の針糸が形成する糸環列の全てに第１のルーパ糸が絡み合う第１の２重環縫部と、前記糸環列の一部に第２のルーパ糸が絡み合う第２の２重環縫部とを併せ持つから、高い縫製強度と適度な伸縮性とが得られる上、第１，第２のルーパ糸が、針糸の糸環列との絡みの外れを相互に止める作用をなすから、糸切れに起因する縫目の不要な解けを有効に防止することができ、縫製品の品質向上に寄与することが可能となる等、本発明は優れた効果を奏する。
【発明を実施するための最良の形態】
【００１３】
以下本発明をその実施の形態を示す図面に基づいて詳述する。図１は、本発明に係る縫目構造の第１の実施の形態を示す平面図であり、縫製生地の下面における縫目の一部が拡大して示されている。
【００１４】
本図に示す縫目構造は、３本の針糸２，２，２の夫々により、縫製生地１の下面11に互いに平行をなして並設された３つの糸環列20，20，20に、２本のルーパ糸（第１のルーパ糸４及び第２のルーパ糸５）が絡み合って構成されている。
【００１５】
３本の針糸２，２，２の夫々は、これらを保持する各別の針（図示せず）の上下動により、図中に白抜矢符にて示す方向に間欠的な送りを加えられる縫製生地１を所定の送りピッチ毎に上下に貫通せしめられており、前記糸環列20は、夫々の貫通位置に残される図示の如きループ状の糸環の並びとして形成されている。
【００１６】
第１のルーパ糸４は、前記下面11に沿って前記送り方向と略直交する方向に進退動作するルーパ（図示せず）により、３つの糸環列20，20，20の並設域の全幅に亘って糸繰りされ、全ての糸環列20，20，20と図示の如く絡み合わされて第１の２重環縫部40を構成している。この２重環縫部40は、前述した米国規格において、Stitch Type 407 として規格化された縫目であり、この種の縫目を形成すべく設計された針及びルーパを備えるミシンにより形成することができる。
【００１７】
第２のルーパ糸５は、同じく下面11に沿って進退動作するルーパにより、進出側に位置する２つの糸環列20，20の並設域の幅内にて糸繰りされ、前記２つの糸環列20，20と図示の如く絡み合わされて第２の２重環縫部50を構成している。この２重環縫部50は、米国規格において、Stitch Type 406 として規格化されている縫目であり、例えば、第１のルーパ糸４を先端に保持するルーパの中途に別途設けた糸孔に第２のルーパ糸５を保持させ、該ルーパの進退動作時に２つの糸環列20，20に対してのみ第２のルーパ糸５が絡み合うように構成することにより、第１の２重環縫部40と共に形成することができる。
【００１８】
以上の如く構成された本発明に係る縫目構造においては、３本の針糸２，２，２と２本のルーパ糸４，５とが絡み合って縫目が構成されているから、通常の２重環縫の縫目構造に比して十分に高い縫目強度を得ることができる。
【００１９】
また、第１，第２の２重環縫部40，50の夫々は、公知の２重環縫の縫目構造であり、第１，第２のルーパ糸４，５の中途を切断し、これらの切断端を引っ張った場合、前記糸環列20，20…との絡みが縫い始めの側に向けて順次外れ、縫目を連続して解くことができるが、３つの糸環列20，20，20に絡み合う第１のルーパ糸４と、２つの糸環列20，20に絡み合う第２のルーパ糸５とは、縫製生地１の下面11において相互に重なり合っているため、前述した引っ張りによる第１のルーパ糸４（又は第２のルーパ糸５）の外れは、第２のルーパ糸５（又は第１のルーパ糸４）の存在により阻止され、縫目の解けを中途において止めることができる。
【００２０】
なお、第１，第２の２重環縫部40，50を備える本発明に係る縫目構造は、第１，第２のルーパ糸４，５を共に切断し、これらの切断端を、夫々のルーパ糸４，５による前述した外れの阻止が生じないように交互に引っ張る手順により解くことができ、例えば、縫製途中の縫い直しに対応することが可能であるが、第１，第２のルーパ糸４，５が共に切れ、これらが交互に引っ張られるという状態は、縫製品としての通常の使用状況において発生する状態ではなく、糸切れによる縫目の不要な解けは確実に防止される。
【００２１】
図２は、本発明に係る縫目構造の第２の実施の形態を示す平面図である。本図においては、縫製生地１の下面11に前述の如く並ぶ３つの糸環列20，20，20の全てに第１のルーパ糸４が絡み合って第１の２重環縫部40が構成され、また、ルーパの進出側に位置する１つの糸環列20に第２のルーパ糸６が絡み合って第２の２重環縫部60が構成されている。
【００２２】
第１の２重環縫部40は、第１の実施の形態と同様、Stitch Type 407 として規格化されている縫目であり、第２の２重環縫部60は、米国規格において、Stitch Type 401 として規格化されている縫目である。この実施の形態においても、第１の実施の形態と同様に、縫目強度の向上が実現され、また不要な解けを有効に防止することができる。
【００２３】
また、１つの糸環列20と第２のルーパ糸６とにより構成される第２の２重環縫部60は、長手方向の伸縮性を抑えるために有効に働くから、第２の実施の形態によれば、第２のルーパ糸６の張力設定により適度の伸縮性を簡易に実現することができ、縫製品の種類、縫製部位等の縫製条件に応じた伸縮性の調整が可能であり、特に、伸縮性の抑制が要求される縫製品に対して有利な縫目構造となる。
【００２４】
なお以上の実施の形態においては、３本の針糸２，２、２により構成される縫目構造について説明したが、本発明に係る縫目構造は、２本の針糸により構成される２つの糸環列の全てに第１のルーパ糸ガ絡み合う第１の２重環縫部と、２つの糸環列のうちの１つの糸環列に第２のルーパ糸が絡み合う第２の２重環縫部とを併せて備える構成であってもよく、また４本の針糸により構成される４つの糸環列の全てに第１のルーパ糸ガ絡み合う第１の２重環縫部と、４つの糸環列のうちの３つ、２つ又は１つに第２のルーパ糸が絡み合う第２の２重環縫部とを併せて備える構成であってもよい。
【００２５】
また図１、図２に示す第１、第２の実施の形態においては、いずれも、右進左退運動を行うルーパを備えるミシンにより形成される縫目構造が示されているが、本発明に係る縫目構造は、左進右退運動を行うルーパを備えるミシンにおいても実現可能であり、この場合、図１に示す第１の実施の形態においては、中央及び左側の糸環列20，20に第２のルーパ糸５が絡んで第２の２重環縫部50が形成され、図２に示す第２の実施の形態においては、左側の糸環列20に第２のルーパ糸６が絡んで第２の２重環縫部60が形成される。
【００２６】
更に本発明に係る縫目構造は、縫製生地１の下面11に前述した２重環縫部を備えるものであればよく、縫製生地１の上面に上飾り糸を有する偏平縫の縫目構造としても適用可能であることは言うまでもない。
【図面の簡単な説明】
【００２７】
【図１】本発明に係る縫目構造の第１の実施の形態を示す平面図である。
【図２】本発明に係る縫目構造の第２の実施の形態を示す平面図である。
【図３】２重環縫の縫目構造の説明図である。
【符号の説明】
【００２８】
１    縫製生地
２    針糸
４    第１のルーパ糸
５，６    第２のルーパ糸
20    糸環列
40    第１の２重環縫部
50，60    第２の２重環縫部
【図１】
2005074082.tif 000003
【図２】
2005074082.tif 000004
【図３】
2005074082.tif 000005